(57)【要約】  本開示のデータの表示方法は、対象のデータの統計グラフを基礎グラフｇ２として表示する第１画面Ｐ２を表示する表示部において、基礎グラフｇ２において対象分類項目を選択する分類項目選択工程と、選択された対象分類項目に属するデータを、基礎グラフｇ２における基準とは異なる基準に基づいて複数の項目に分類した統計グラフを基礎グラフｇ２に対する派生グラフｇ３，ｇ４，ｇ５として生成して、基礎グラフｇ２とともに派生グラフｇ３，ｇ４，ｇ５を表示する第２画面を生成する第２画面生成工程と、第２画面Ｐ３において基礎グラフｇ２を選択することにより表示部に表示される画面が第１画面Ｐ２に切り替わる状態で第２画面Ｐ３を表示部に表示する第２画面表示工程と、を有する。
2016117235.tif 000002
【特許請求の範囲】
【請求項１】
対象のデータを所定の基準に基づいて複数の項目に分類した統計グラフを基礎グラフとして表示する第１画面を表示する表示部において、前記表示部に表示される前記基礎グラフにおける各分類項目の少なくとも１つを対象分類項目として選択する分類項目選択工程と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成工程と、
前記第２画面において前記基礎グラフを選択することにより前記表示部に表示される画面が前記第１画面に切り替わる状態で前記第２画面を前記表示部に表示する第２画面表示工程と、を有するデータの表示方法。
【請求項２】
前記分類項目選択工程において、前記第２画面で表示される前記派生グラフを新たな前記基礎グラフとして、前記派生グラフにおける各分類項目の少なくとも１つを前記対象分類項目として選択可能で、
前記第２画面生成工程において、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能で、
前記第２画面表示工程において、新たな前記第２画面において新たな前記基礎グラフとした前記派生グラフを選択することで前記表示部に表示される画面が前記第２画面に切り替わる状態で、新たな前記第２画面を表示可能である請求項１に記載のデータの表示方法。
【請求項３】
前記第２画面生成工程において、前記対象分類項目に属する前記データをそれぞれ異なる基準に基づいて分類した複数の前記派生グラフを生成し、前記基礎グラフとともに複数の前記派生グラフを表示する前記第２画面を生成する請求項１又は２に記載のデータの表示方法。
【請求項４】
前記分類項目選択工程での前記基礎グラフに対する選択指示に伴い、選択された前記対象分類項目に属する前記データのリストを生成するリスト生成工程を有し、
前記第２画面生成工程において、前記基礎グラフを表示した状態で、前記派生グラフとともに、又は、前記派生グラフに代えて、前記リストを表示する前記第２画面を生成する請求項１〜３のいずれか１項に記載のデータの表示方法。
【請求項５】
前記分類項目選択工程において、前記基礎グラフにおける各分類項目のうち前記対象分類項目とする分類項目を複数選択可能で、
前記第２画面生成工程において、それぞれの前記対象分類項目に属する前記データを異なる基準に基づいて分類した前記派生グラフをそれぞれ生成して、前記基礎グラフとともに複数の前記派生グラフを表示する前記第２画面を生成可能である請求項１〜４のいずれか１項に記載のデータの表示方法。
【請求項６】
対象のデータを所定の基準に基づいて複数の項目に分類した統計グラフを基礎グラフとして表示する第１画面を表示する表示部と、
前記表示部に表示される前記基礎グラフにおける各分類項目のうちの少なくとも１つを対象選択項目として選択指示する選択指示部と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成部と、を備え、
前記表示部は、前記第２画面において前記基礎グラフを選択することにより前記表示部に表示される画面が前記第１画面に切り替わる状態で、前記第２画面を表示する構成にしてあるデータの表示システム。
【請求項７】
前記選択指示部は、前記第２画面で表示される前記派生グラフを新たな前記基礎グラフとして、前記派生グラフにおける各分類項目の少なくとも１つを前記対象分類項目として選択指示可能であり、
前記第２画面生成部は、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能であり、
前記表示部は、新たな前記第２画面において新たな前記基礎グラフとした前記派生グラフを選択することで前記表示部に表示される画面が前記第２画面に切り替わる状態で、新たな前記第２画面を表示する構成にしてある請求項６に記載のデータの表示システム。
【請求項８】
前記第２画面生成部は、前記対象分類項目に属する前記データをそれぞれ異なる基準に基づいて分類した複数の前記派生グラフを生成して、前記基礎グラフとともに複数の前記派生グラフを表示する第２画面を生成可能である請求項６又は７に記載のデータの表示システム。
【請求項９】
前記選択指示部での前記基礎グラフに対する選択指示に伴い、選択された前記対象分類項目に属する前記データのリストを生成するリスト生成部を備え、
前記第２画面生成部は、前記基礎グラフを表示した状態で、前記派生グラフとともに、又は、前記派生グラフに代えて、前記リストを表示する前記第２画面を生成可能である請求項６〜８のいずれか１項に記載のデータの表示システム。
【請求項１０】
前記選択指示部は、前記基礎グラフにおける各分類項目のうち前記対象分類項目とする分類項目を複数選択可能であり、
前記第２画面生成部は、前記選択指示部により選択された複数の前記対象分類項目について、それぞれの前記対象分類項目に属する前記データを異なる基準に基づいて分類した前記派生グラフをそれぞれ生成して、前記基礎グラフとともに複数の前記派生グラフを表示する前記第２画面を生成可能である請求項６〜９のいずれか１項に記載の表示システム。
【発明の詳細な説明】
【技術分野】
【０００１】
本発明は、例えばプラントを構成する各部から収集された流体漏洩を起こしている流体漏洩箇所のデータ等のデータの表示方法及び表示システムに関する。
【背景技術】
【０００２】
石油精製、石油化学、一般化学、鉄鋼、重工業、自動車、食料・飲料など、様々な分野におけるプラントの生産活動において、種々のガス（水素、窒素、都市ガス、アルゴン、二酸化炭素、炭酸ガスなど）、エア、蒸気など様々な流体が使用されている。この種のプラントにおいて、経年劣化などにより配管系や容器系から流体漏洩が生じることは避けられず、そして、流体漏洩の分だけ損失が生じることとなるため、プラントにおける流体漏洩を防ぐため定期的にメンテナンスを行う必要がある。【０００３】
そして、メンテナンスを行うには、流体漏洩を起こし、その補修が必要な箇所を特定する必要があり、そのための装置として、特許文献１に示すような可搬式漏洩検出装置が用いられている。この可搬式漏洩検出装置により流体漏洩箇所を検出するとともにその流体漏洩量や場所などのデータを収集し、収集した全流体漏洩箇所のデータを管理装置に入力する。そして、管理装置に入力された全流体漏洩箇所のデータに基づいて、補修が必要な流体漏洩箇所を特定することでメンテナンスを行っていた。
【先行技術文献】
【特許文献】
【０００４】
【特許文献１】特開２００３−１０６９２７号公報
【発明の概要】
【発明が解決しようとする課題】
【０００５】
メンテナンスを行うには人件費などのコストが発生することとなるため、現時点で流体漏洩によりどれだけの損失が生じているか、そして、メンテナンスを行うことによりどれだけの経済効果が得られるかといったことを顧客に示す必要がある。特に、メンテナンスでは、対象のプラントにおける流体漏洩箇所の傾向を把握し、その傾向に沿った方針でメンテナンスを行うことが効率的であるが、流体漏洩箇所に関するデータは、漏洩している流体種、漏洩を起こしているプラントのエリア、漏洩を起こしている部材など様々な項目に関連するもので把握が難しく、メンテナンスの方針の決定に必要な流体漏洩箇所の傾向を顧客が分かりやすい形で示す必要があった。【０００６】
この実情に鑑み、本開示の主たる課題は、プラントを構成する各部から収集された各流体漏洩箇所のデータをわかりやすい形で表示する表示方法を提供することにある。
【課題を解決するための手段】
【０００７】
本開示に係るデータの表示方法は、
対象のデータを所定の基準に基づいて複数の項目に分類した統計グラフを基礎グラフとして表示する第１画面を表示する表示部において、前記表示部に表示される前記基礎グラフにおける各分類項目の少なくとも１つを対象分類項目として選択する分類項目選択工程と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成工程と、
前記第２画面において前記基礎グラフを選択することにより前記表示部に表示される画面が前記第１画面に切り替わる状態で前記第２画面を前記表示部に表示する第２画面表示工程と、を有する。【０００８】
例えば流体漏洩箇所のデータを例に説明すると、上記構成によれば、ある基準（例えば図３Ａのような年度）で流体漏洩箇所のデータ（図３Ａでは流体漏洩箇所の総数、及び、流体漏洩に伴う総損失金額）を分類した基礎グラフを第１画面として表示するのに加え、基礎グラフのある分類項目（例えば図３Ａにおける２０１４年度の項目）を選択することで、その分類項目に属するデータをさらに異なる基準（図３Ｂでは流体種）で分類した派生グラフ（図３Ｂでは２０１４年度に属するデータを流体種ごとのデータに分類したグラフ）を基礎グラフとともに表示する第２画面を表示する。【０００９】
このように、上記構成によれば、第２画面から、基礎グラフによりある基準における流体漏洩箇所の大枠の傾向を表示すると同時に、基礎グラフで示す項目をさらに細分化した派生グラフにより、基礎グラフのある分類項目における流体漏洩箇所の詳細な傾向を表示することができる。これにより、流体漏洩箇所の大枠の傾向と、その大枠の傾向をさらに細分化した詳細な傾向とを一括に且つわかりやすい形で示すことができるから、流体漏洩箇所の傾向を容易に理解できる。さらに、派生グラフを表示する第２画面において基礎グラフを選択することにより、元の第１画面に戻ることができ、これにより容易に２つの画面を行き来することができ、容易に情報を把握することができる。【００１０】
なお、分類項目選択工程では、基礎グラフにおける各分類項目のうち複数の項目、又は、各分類項目の全て（即ち基礎グラフの全体）を選択する場合を含む。例えば、各分類項目の全てを選択した場合、派生グラフ生成工程では、基礎グラフを構成する全データを、基礎グラフとは異なる基準で分類した派生グラフ（いわば、基礎グラフを異なる基準で分類しなおしたグラフ）を生成する。例えば、流体種で流体漏洩箇所のデータを分類している基礎グラフを、流体種に代えて流体漏洩箇所の属するエリアで流体漏洩箇所のデータを分類した派生グラフを生成する。【００１１】
例えば、表示する流体漏洩箇所のデータとしては、流体漏洩箇所の総数、総流体漏洩量、若しくは、総流体漏洩量に単価を乗算して求めた総損失金額、又は、過去のある期間における流体漏洩箇所の総数・総流体漏洩量・総損失金額からの現時点における流体漏洩箇所の総数・総流体漏洩量・総損失金額の増減などが挙げられる。また、このデータを分類する基準としては、各流体漏洩箇所が発見された期間（年単位、月単位など）、漏洩流体種、プラントにおけるエリア、担当する課、漏洩を起こしている部材（配管、バルブ、ホースなど）などが挙げられる。【００１２】
なお、流体漏洩箇所のデータを対象とするデータとして説明したが、これに限定されず、上記構成を他のデータに適用しても同様の作用効果を得ることができる。【００１３】
以下、本開示に係るデータの表示方法の好適な態様について説明する。但し、以下に記載する好適な態様例によって、本開示の範囲が限定される訳ではない。【００１４】
一つの態様として、前記分類項目選択工程において、前記第２画面で表示される前記派生グラフを新たな前記基礎グラフとして、前記派生グラフにおける各分類項目の少なくとも１つを前記対象分類項目として選択可能で、前記第２画面生成工程において、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能で、前記第２画面表示工程において、新たな前記第２画面において新たな前記基礎グラフとした前記派生グラフを選択することで前記表示部に表示される画面が前記第２画面に切り替わる状態で、新たな前記第２画面を表示可能であると好適である。【００１５】
つまり、上記構成によれば、基礎グラフを細分化した派生グラフをさらに異なる基準で細分化した新たな派生グラフを表示する新たな第２画面を表示部に表示する。これにより、対象とするデータのより詳細な傾向を理解することができる。【００１６】
そして、上記構成の実施により表示部に表示する新たな第２画面に対し、繰り返し上記構成を実施することで、さらに細分化された派生グラフを順次得ることができる。また、新たに表示部に表示される画面における基礎グラフを繰り返し選択すれば、元の画面に順次戻っていくことができる。即ち、上記構成によれば、表示部に表示される基礎グラフや派生グラフの選択を繰り返すことで、様々な基準で細分化されたグラフが表示される画面を容易に行き来することができ、極めて容易に対象のデータの傾向を把握することができる。【００１７】
一つの態様として、前記対象分類項目に属する前記データをそれぞれ異なる基準に基づいて分類した複数の前記派生グラフを生成し、前記基礎グラフとともに複数の前記派生グラフを表示する前記第２画面を生成すると好適である。【００１８】
つまり、上記構成によれば、それぞれ異なる基準に基づいて分類された複数の派生グラフをまとめて表示することにより、複数の基準から対象のデータの詳細な傾向を把握することができる。【００１９】
一つの態様として、前記分類項目選択工程での前記基礎グラフに対する選択指示に伴い、選択された前記対象分類項目に属する前記データのリストを生成するリスト生成工程を有し、
前記第２画面生成工程において、前記基礎グラフを表示した状態で、前記派生グラフとともに、又は、前記派生グラフに代えて、前記リストを表示する前記第２画面を生成すると好適である。【００２０】
つまり、上記構成によれば、対象のデータをリスト表示することで、対象のデータについてのより詳細な情報を得ることができる。さらに、第２特徴構成のように、派生グラフ表示工程で表示した派生グラフを基礎グラフとして分類項目選択工程を行う場合、基礎グラフをさらに細分化した派生グラフ（さらには派生グラフをさらに細分化した新たな派生グラフ）の分類項目に属するデータの数は限られたものとなっているため、リスト表示したとしても内容の把握は容易となる利点がある。さらに、上記構成によれば、リストの基となる基礎グラフを表示した状態で選択した分類項目に関するリストを表示するため、対象のデータの詳細な情報を容易に把握できる。【００２１】
一つの態様として、前記分類項目選択工程において、前記基礎グラフにおける各分類項目のうち前記対象分類項目とする分類項目を複数選択可能で、前記第２画面生成工程において、それぞれの前記対象分類項目に属する前記データを異なる基準に基づいて分類した前記派生グラフをそれぞれ生成して、前記基礎グラフとともに複数の前記派生グラフを表示する前記第２画面を生成可能であると好適である。【００２２】
つまり、上記構成によれば、分類項目選択工程において選択した複数の分類項目について、選択した各分類項目について派生グラフをそれぞれ生成して表示することから、多様な情報を一括に得ることができ対象のデータの詳細な傾向を把握することができる。【００２３】
本開示に係るデータの表示システムは、
対象のデータを所定の基準に基づいて複数の項目に分類した統計グラフを基礎グラフとして表示する第１画面を表示する表示部と、
前記表示部に表示される前記基礎グラフにおける各分類項目のうちの少なくとも１つを対象選択項目として選択指示する選択指示部と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成部と、を備え、
前記表示部は、前記第２画面において前記基礎グラフを選択することにより前記表示部に表示される画面が前記第１画面に切り替わる状態で、前記第２画面を表示する。【００２４】
上記構成によれば、本開示に係る表示方法と同様の作用効果を得ることができる。【００２５】
以下、本開示に係るデータの表示システムの好適な態様について説明する。但し、以下に記載する好適な態様例によって、本開示の範囲が限定される訳ではない。【００２６】
一つの態様として、前記選択指示部は、前記第２画面で表示される前記派生グラフを新たな前記基礎グラフとして、前記派生グラフにおける各分類項目の少なくとも１つを前記対象分類項目として選択指示可能であり、前記第２画面生成部は、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能であり、前記表示部は、新たな前記第２画面において新たな前記基礎グラフとした前記派生グラフを選択することで前記表示部に表示される画面が前記第２画面に切り替わる状態で、新たな前記第２画面を表示する構成にしてあると好適である。【００２７】
一つの態様として、前記第２画面生成部は、前記対象分類項目に属する前記データをそれぞれ異なる基準に基づいて分類した複数の前記派生グラフを生成して、前記基礎グラフとともに複数の前記派生グラフを表示する第２画面を生成可能であると好適である。【００２８】
一つの態様として、前記選択指示部での前記基礎グラフに対する選択指示に伴い、選択された前記対象分類項目に属する前記データのリストを生成するリスト生成部を備え、前記第２画面生成部は、前記基礎グラフを表示した状態で、前記派生グラフとともに、又は、前記派生グラフに代えて、前記リストを表示する前記第２画面を生成可能であると好適である。【００２９】
一つの態様として、前記選択指示部は、前記基礎グラフにおける各分類項目のうち前記対象分類項目とする分類項目を複数選択可能であり、前記第２画面生成部は、前記選択指示部により選択された複数の前記対象分類項目について、それぞれの前記対象分類項目に属する前記データを異なる基準に基づいて分類した前記派生グラフをそれぞれ生成して、前記基礎グラフとともに複数の前記派生グラフを表示する前記第２画面を生成可能である構成にしてあると好適である。【００３０】
上記構成によれば、上記した本開示に係る表示方法の好適な態様と同様の作用効果を得ることができる。
【図面の簡単な説明】
【００３１】
【図１】流体漏洩箇所のデータ収集の方法を示す図
【図２】管理装置のブロック図
【図３Ａ】流体漏洩箇所のデータの表示方法を示す図
【図３Ｂ】流体漏洩箇所のデータの表示方法を示す図
【図４Ａ】流体漏洩箇所のデータの表示方法を示す図
【図４Ｂ】流体漏洩箇所のデータの表示方法を示す図
【図５Ａ】流体漏洩箇所のデータの表示方法を示す図
【図５Ｂ】流体漏洩箇所のデータの表示方法を示す図
【図６Ａ】流体漏洩箇所のデータの表示方法を示す図
【図６Ｂ】流体漏洩箇所のデータの表示方法を示す図
【発明を実施するための形態】
【００３２】
以下に、本開示に係るデータの表示方法を、プラントを構成する各部から収集された流体漏洩を起こしている流体漏洩箇所のデータに適用した例を説明する。まず、プラントにおける流体漏洩箇所のデータ収集について説明すると、例えば、図１に示すような、検出器２と端末器３とからなる可搬式の漏洩検出装置１を用いて、流体漏洩箇所での発生超音波を検出することによりプラントの配管系や容器系に対しその各部からの流体漏洩を検出し、そのデータを収集する。
【００３３】
具体的には、検出器２が超音波を検出して流体漏洩Ｌが検出された場合には（図１中の符号Ｌ）、端末器３に対して漏洩流体種、検出日時、流体漏洩箇所におけるエリア、そのエリアを担当している課、流体漏洩箇所を起こしている部材など各種情報を入力し、また、検出超音波に基づいて端末器３にその箇所における流体漏洩量を演算させる。そして、流体漏洩箇所を端末器３に搭載のカメラにより撮影し、端末器３のディスプレイに表示される診断エリアのエリア図画像や撮影した撮影画像に対し流体漏洩箇所のマーキングを行う。そして、その場で修理可能である場合には流体漏洩箇所の修理を行って、修理済みであることを端末器３に入力する。このようにして、入力情報や演算された流体漏洩量、撮影画像や、エリア図画像及び撮影画像へのマーキング位置、修理済みか否かを、その漏洩箇所に付与した管理番号に関連付けた収集データＤを作成し、端末器３にこの収集データＤを保存する。そして、順次各箇所についての診断を行い各箇所の収集データを蓄積して保存していくことで、漏洩検出装置１により流体漏洩箇所のデータを収集する。最後に、漏洩検出装置１により収集したデータＤは、管理装置４に入力し保管する。
【００３４】
このような漏洩検出装置１による流体漏洩診断は定期的に行われる。そして、漏洩検出装置１により収集されたデータＤは、その都度管理装置４に入力されて、管理装置４には診断ごとに流体漏洩箇所のデータＤが蓄積的に記憶されることになる。本開示では、このように複数回の流体漏洩診断にわたって蓄積的に収集されるデータＤの表示を行う。
【００３５】
また、管理装置４は、図１，２に示すように、キーボードやマウスからなる操作部５（選択指示部に相当）と、漏洩検出装置１用の専用端子、赤外線通信手段などの無線通信手段、ＣＤドライブ等からなる入力部６と、ハードディスクからなる記憶部７と、内臓ＣＰＵからなる演算部（第２画面生成部に相当）８と、ディスプレイからなる表示部９と、を備える。
【００３６】
漏洩検出装置１により収集された流体漏洩箇所のデータの管理装置４への入力は、入力部６により行う。そして、入力したデータＤは記憶部７に蓄積的に記録される。また、記憶部７にはデータ表示用プログラムを格納してあり、管理装置４は演算部８による管理用プログラムの実行によりデータＤの表示部９への表示を行う。
【００３７】
管理装置４は、表示部９を通じての操作部５の簡単な操作で指令入力を受け取るため、図２に示すように、グラフィックユーザインターフェースを実現するＧＵＩ部１０を備え、これにより、管理装置４は、表示部９を介した操作部５からの選択指示に応じて、演算部８が記憶部７に記憶された流体漏洩箇所のデータＤを処理して、操作部５の選択指示に対応したグラフを生成し、表示部９に生成したグラフを表示する。操作部５の選択指示は、操作部５としてのマウスを用いて表示部９に表示されるカーソルにより行ったり、操作部５としてのキーボードにより指示を入力して行えばよい。
【００３８】
次に、データ表示用プログラムにより演算部８が実現するデータ表示機能について説明する。記憶部７に記憶されているデータＤは、漏洩流体種、検出日時、流体漏洩箇所のプラントにおけるエリア及びそのエリアを担当している課、流体漏洩箇所を起こしている部材、流体漏洩量、修理済みか否かなど、複数の項目にわたるデータとなっている。そして、演算部８は、リストやグラフとして表示されたデータＤに対する操作部５による選択指示に応じて、データＤを所定の基準に基づいて分類した統計グラフを生成する。
【００３９】
例えば、データＤを表示するリストに対して、ある項目（例えば検出日時、エリア、部材など）を選択した場合、選択した項目を分類基準としてデータＤを分類する（例えば、データＤを年度ごとに分類するなど）。そして、分類項目ごとの（１）流体漏洩箇所の総数、（２）総流体漏洩量、（３）総流体漏洩量に単価を乗算して求めた総損失金額、又は、（４）過去のある期間からの現時点における前記（１）〜（３）の量の増減（例えば前年度からの流体漏洩量の増減）などを示す統計グラフを生成する。
【００４０】
また、操作部５により統計グラフのある分類項目を対象分類項目として選択した場合、対象分類項目に属するデータＤを、操作部５により選択した統計グラフ（以下、基礎グラフと称する場合がある）における基準とは異なる基準に基づいて複数の項目に分類し、同様に、分類項目ごとの上記（１）〜（４）を示す統計グラフ（以下、派生グラフと称する場合がある）を作成する。操作部５によりグラフにおけるある分類項目を選択するのでなく、そのグラフ全体を選択指示した場合、選択したグラフを構成する全データを、選択したグラフとは異なる基準で分類したグラフ（つまり、選択したグラフを構成するデータを異なる基準で分類しなおしたグラフ）を生成する。
【００４１】
演算部８は生成した統計グラフを表示する画面を生成して表示部９に表示させる。そして、演算部８は、基礎グラフとするグラフを表示した画面（以下、第１画面と称する場合がある）において、表示される基礎グラフに対して操作部５により選択指示を行って、この基礎グラフに対する派生グラフを生成するときは、基礎グラフとともに派生グラフを表示する画面（以下、第２画面と称する場合がある）を生成して表示部９に表示する（つまり、基礎グラフと派生グラフとを同一の画面で表示する）。この場合、演算部８は、第２画面において基礎グラフを選択することにより表示部９が第１画面に切り替わる状態で第２画面を表示部９に表示させる。即ち、第２画面において基礎グラフを選択した場合、表示部９に表示される画面が第１画面に切り替わるようになっている。
【００４２】
また、演算部８は、派生グラフを基礎グラフとして、操作部５により派生グラフにおける各分類項目から対象分類項目を選択した場合、基礎グラフとした派生グラフに対する新たな派生グラフを生成して、基礎グラフとした派生グラフとともに新たな派生グラフを表示する新たな第２画面を生成して、表示部９に表示する。この場合、演算部８は、新たな第２画面において基礎グラフとした派生グラフを選択することにより表示部５に表示される画面が第２画面（即ち、新たな第２画面の元となった画面）に切り替わる状態で、新たな第２画面を表示させる。即ち、新たな第２画面において基礎グラフとした派生グラフを選択した場合、表示部９に表示される画面が新たな第２画面の元となった画面に切り替わるようになっている。
【００４３】
また、基礎グラフに対して生成する派生グラフの数は１つに限らず、演算部８は、後述する設定情報に応じて、選択した分類項目に属するデータＤをそれぞれ異なる基準に基づいて分類した複数の派生グラフを生成し、基礎グラフとともに複数の派生グラフを表示する第２画面を生成して表示部５に表示するようになっている。
【００４４】
また、演算部８は、基礎グラフに対する選択指示に伴い、設定情報に応じて、選択された対象分類項目に属するデータＤのリストを生成し、基礎グラフを表示した状態で、派生グラフとともに、又は、派生グラフに代えて、リストを表示する第２画面を生成して表示部５に表示するようになっている。
【００４５】
そして、分類基準ごとにどの形式のグラフ（折れ線グラフ、棒グラフ、円グラフなど）で表示するか、前記（１）〜（４）のいずれの量を分類項目ごとに示すか、グラフに対して選択指示を行う場合、どの分類基準で分類された分類項目（又は基礎グラフ）をどの分類基準で分類して新たに派生グラフを作成するか、基礎グラフに対していくつの派生グラフを生成して表示するのか、又は、基礎グラフに対してリストを生成するか、などを設定情報として予め設定してある。
【００４６】
設定情報としては、例えば、本実施形態では、図３Ａに示すように、検出日時を分類基準とした場合は、流体漏洩箇所の総数と総損失金額とを分類項目としての年度ごとに示すよう設定し、さらに、流体漏洩箇所の総数を折れ線グラフで、総損失金額を棒グラフで表示するように設定してある。そして、検出日時を分類基準としたグラフにおける分類項目（即ち年度）を操作部５で選択した場合は、その年度に属するデータについて、漏洩流体種ごとの損失金額に関する簡易リスト、及び、漏洩流体種を分類基準として分類したグラフを生成するように設定してあり、またその表示形式としては、図３Ｂに示すように、漏洩流体種ごとの流体漏洩箇所の総数についての円グラフと並べて漏洩流体種ごとの損失金額についての簡易リストを並べて表示したグラフとの３種の情報を表示するように設定してある。
【００４７】
管理装置４に記憶されたデータの表示について具体例を挙げて説明する。まず、全収集データＤのリストを表示部９に表示させて検出日時の項目を選択する。すると、設定情報に従って、図３Ａに示すような、検出日時を分類基準として年度ごとに分類された流体漏洩箇所の総数についての折れ線グラフと総損失金額についての棒グラフとからなるグラフｇ１を表示する画面Ｐ１が生成されて表示部９に表示される。
【００４８】
次に、画面Ｐ１において、年度ごとの総損失金額についての棒グラフにおける２０１４年度の項目ｇ１ａを操作部５により選択すると（分類項目選択工程に相当）、演算部８により、設定情報に従って、漏洩流体種ごとの流体漏洩箇所の総数についての円グラフと並べて漏洩流体種ごとの損失金額についての簡易リストを並べて表示した派生グラフとしてのグラフｇ２が生成され、基礎グラフとしてのグラフｇ１とともに、グラフｇ２を表示する画面Ｐ２を生成される（第２画面生成工程に相当）。そして、図３Ｂに示すように、画面Ｐ１から切り替わって、表示部９に画面Ｐ２が表示される（第２画面表示工程に相当）。なお、この場合、画面Ｐ２において、基礎グラフとしてのグラフｇ１を選択することで、表示部９に表示される画面が画面Ｐ１に切り替わる状態となっている。
【００４９】
さらに、図４Ａに示すように、画面Ｐ２において、グラフｇ２を操作部５により選択すると（分類項目選択工程に相当）、設定情報に従って、演算部８により、グラフｇ２を構成するデータ（即ち、２０１４年度の項目ｇ１ａを構成するデータ）を、担当の課を分類基準として分類しなおし、課ごとの選択年度（２０１４年度）とその前年度との量とにおける流体漏洩箇所の総数及び総損失金額を並べて表示した棒グラフｇ３，ｇ４と、修理状況を示すグラフとして、総漏れ金額、総漏れ金額における修理済み箇所と未修理箇所との内訳、及び、修理済み箇所の総漏れ金額における漏洩流体種の内訳を並べて表示したグラフｇ５の３つの派生グラフが生成され、基礎グラフとしてのグラフｇ２とともに、これら派生グラフｇ３，ｇ４，ｇ５を表示する画面Ｐ３が生成される（第２画面生成工程に相当）。そして、図４Ｂに示すように、画面Ｐ２から切り替わって、表示部９に画面Ｐ３が表示される（第２画面表示工程に相当）。なお、この場合、画面Ｐ３において、基礎グラフとしてのグラフｇ２を選択することで、表示部９に表示される画面が画面Ｐ２に切り替わる状態となっている。
【００５０】
さらに、図５Ａに示すように、画面Ｐ３において、グラフｇ３におけるいずれかの分類項目（図５Ａ中はＥ課）を選択すると（分類項目選択工程に相当）、設定情報に従って、演算部８により、選択した分類項目（図５Ｂ中はＥ課）に属する全データのリストｌが生成されて（リスト生成工程に相当）、基礎グラフとしてのグラフｇ３とともにリストｌを表示する画面Ｐ４が生成される（第２画面生成工程に相当）。そして、図５Ｂに示すように、画面Ｐ３から切り替わって、表示部９に画面Ｐ４が表示される（第２画面表示工程に相当）。なお、この場合、画面Ｐ４において、基礎グラフとしてのグラフｇ３を選択することで、表示部９に表示される画面が画面Ｐ３に切り替わる状態となっている。
【００５１】
また、図６Ａに示すように、画面Ｐ３において、グラフｇ５における総漏れ金額の修理済み箇所と未修理箇所との内訳を示す項目のうち、未修理箇所の項目を選択すると（分類項目選択工程に相当）、設定情報に従って、演算部８により、未修理箇所に属するデータを漏洩流体種ごとに分類し、漏洩流体種ごとの流体漏洩箇所の総数に関する円グラフｇ６、及び、漏洩流体種ごとの流体漏洩箇所の総漏れ金額に関する円グラフｇ７が生成され、基礎グラフとしてのグラフｇ５とともにグラフｇ６，ｇ７を表示する画面Ｐ５が生成される（第２画面生成工程に相当）。そして、図６Ｂに示すように、画面Ｐ３から切り替わって、表示部９に画面Ｐ５が表示される（第２画面表示工程に相当）。なお、この場合、画面Ｐ５において、基礎グラフとしてのグラフｇ５を選択することで、表示部９に表示される画面が画面Ｐ３に切り替わる状態となっている。
【００５２】
このように、基礎グラフによりある基準における流体漏洩箇所の大枠の傾向を表示すると同時に、基礎グラフで示す項目をさらに細分化した派生グラフにより、基礎グラフのある分類項目における流体漏洩箇所の詳細な傾向を表示することができる。これにより、流体漏洩箇所の経時的な傾向と、その経時的な傾向をさらに細分化した漏洩流体種の傾向とを一括に且つわかりやすい形で示すことができて、流体漏洩箇所の傾向を容易に理解できる。さらに、表示部９に表示される基礎グラフや派生グラフの選択を繰り返すことで、様々な基準で細分化されたグラフが表示される画面を容易に行き来することができ、極めて容易に流体漏洩箇所の傾向を把握することができる。
【００５３】
〔別実施形態〕
上述の実施形態において、さらに演算部８は、操作部５により基礎グラフにおける各分類項目のうち対象分類項目とする分類項目を複数選択した場合に、それぞれの対象分類項目に属するデータを異なる基準に基づいて分類した派生グラフをそれぞれ生成して、基礎グラフとともに複数の派生グラフを表示する第２画面を生成して表示部５に表示するようにしてもよい。この場合、選択した複数の対象分類項目に属するデータを、各対象分類項目間で比較した派生グラフや、各対象分類項目間の相関を示す派生グラフなど、選択した複数の対象分類項目に属するデータ全体に関する派生グラフを生成してもよい。
【００５４】
上述の実施形態では、管理装置４の表示部９を介してその操作部５により選択指示を行いデータを表示させたものを示したが、これに限定されず、管理装置４をウェブサーバとして、ウェブブラウザを介して顧客や管理者側のパソコンなどの通信機器の操作部からの選択指示を受け取って所定の処理を行い、顧客や管理者側のパソコンの表示部にその選択指示に応じたデータの表示を行うようにしてもよい。
【００５５】
上述の実施形態で示したグラフ及びリストの表示形態はあくまでも例示であり、これに限定されず、設定情報を変更することでグラフ及びリストの表示形態を自由に変更してもよい。また、上述の実施形態では、本開示を流体漏洩箇所のデータに適用した例を示したが、これに限定されず、種々のデータに適用することができる。
【産業上の利用可能性】
【００５６】
本開示のデータの表示方法及び表示システムは各種分野における種々のデータの表示に適用することができる。
【符号の説明】
【００５７】
５     操作部（選択指示部）
８     演算部（第２画面生成部、リスト生成部）
９     表示部
Ｄ     データ
【図１】
2016117235.tif 000003
【図２】
2016117235.tif 000004
【図３Ａ】
2016117235.tif 000005
【図３Ｂ】
2016117235.tif 000006
【図４Ａ】
2016117235.tif 000007
【図４Ｂ】
2016117235.tif 000008
【図５Ａ】
2016117235.tif 000009
【図５Ｂ】
2016117235.tif 000010
【図６Ａ】
2016117235.tif 000011
【図６Ｂ】
2016117235.tif 000012
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
対象のデータを所定の基準に基づいて複数の項目に分類した統計グラフを基礎グラフとして表示する第１画面を表示する表示部において、前記表示部に表示される前記基礎グラフにおける各分類項目の少なくとも１つを対象分類項目として選択する分類項目選択工程と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成工程と、
前記第２画面において前記基礎グラフを選択することにより前記表示部に表示される画面が前記第１画面に切り替わる状態で前記第２画面を前記表示部に表示する第２画面表示工程と、を有するデータの表示方法。
【請求項２】
前記分類項目選択工程において、前記第２画面で表示される前記派生グラフを新たな前記基礎グラフとして、前記派生グラフにおける各分類項目の少なくとも１つを前記対象分類項目として選択可能で、
前記第２画面生成工程において、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能で、
前記第２画面表示工程において、新たな前記第２画面において新たな前記基礎グラフとした前記派生グラフを選択することで前記表示部に表示される画面が前記第２画面に切り替わる状態で、新たな前記第２画面を表示可能である請求項１に記載のデータの表示方法。
【請求項３】
前記第２画面生成工程において、前記対象分類項目に属する前記データをそれぞれ異なる基準に基づいて分類した複数の前記派生グラフを生成し、前記基礎グラフとともに複数の前記派生グラフを表示する前記第２画面を生成する請求項１又は２に記載のデータの表示方法。
【請求項４】
前記分類項目選択工程での前記基礎グラフに対する選択指示に伴い、選択された前記対象分類項目に属する前記データのリストを生成するリスト生成工程を有し、
前記第２画面生成工程において、前記基礎グラフを表示した状態で、前記派生グラフとともに、又は、前記派生グラフに代えて、前記リストを表示する前記第２画面を生成する請求項１〜３のいずれか１項に記載のデータの表示方法。
【請求項５】
前記分類項目選択工程において、前記基礎グラフにおける各分類項目のうち前記対象分類項目とする分類項目を複数選択可能で、
前記第２画面生成工程において、それぞれの前記対象分類項目に属する前記データを異なる基準に基づいて分類した前記派生グラフをそれぞれ生成して、前記基礎グラフとともに複数の前記派生グラフを表示する前記第２画面を生成可能である請求項１〜４のいずれか１項に記載のデータの表示方法。
【請求項６】
対象のデータを所定の基準に基づいて複数の項目に分類した統計グラフを基礎グラフとして表示する第１画面を表示する表示部と、
前記表示部に表示される前記基礎グラフにおける各分類項目のうちの少なくとも１つを対象分類項目として選択指示する選択指示部と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成部と、を備え、
前記表示部は、前記第２画面において前記基礎グラフを選択することにより前記表示部に表示される画面が前記第１画面に切り替わる状態で、前記第２画面を表示する構成にしてあるデータの表示システム。
【請求項７】
前記選択指示部は、前記第２画面で表示される前記派生グラフを新たな前記基礎グラフとして、前記派生グラフにおける各分類項目の少なくとも１つを前記対象分類項目として選択指示可能であり、
前記第２画面生成部は、新たな前記基礎グラフとした前記派生グラフに対する新たな前記派生グラフを生成して、新たな前記基礎グラフとした前記派生グラフとともに新たな前記派生グラフを表示する新たな前記第２画面を生成可能であり、
前記表示部は、新たな前記第２画面において新たな前記基礎グラフとした前記派生グラフを選択することで前記表示部に表示される画面が前記第２画面に切り替わる状態で、新たな前記第２画面を表示する構成にしてある請求項６に記載のデータの表示システム。
【請求項８】
前記第２画面生成部は、前記対象分類項目に属する前記データをそれぞれ異なる基準に基づいて分類した複数の前記派生グラフを生成して、前記基礎グラフとともに複数の前記派生グラフを表示する第２画面を生成可能である請求項６又は７に記載のデータの表示システム。
【請求項９】
前記選択指示部での前記基礎グラフに対する選択指示に伴い、選択された前記対象分類項目に属する前記データのリストを生成するリスト生成部を備え、
前記第２画面生成部は、前記基礎グラフを表示した状態で、前記派生グラフとともに、又は、前記派生グラフに代えて、前記リストを表示する前記第２画面を生成可能である請求項６〜８のいずれか１項に記載のデータの表示システム。
【請求項１０】
前記選択指示部は、前記基礎グラフにおける各分類項目のうち前記対象分類項目とする分類項目を複数選択可能であり、
前記第２画面生成部は、前記選択指示部により選択された複数の前記対象分類項目について、それぞれの前記対象分類項目に属する前記データを異なる基準に基づいて分類した前記派生グラフをそれぞれ生成して、前記基礎グラフとともに複数の前記派生グラフを表示する前記第２画面を生成可能である請求項６〜９のいずれか１項に記載の表示システム。 
【手続補正２】
【補正対象書類名】明細書
【補正対象項目名】００２３
【補正方法】変更
【補正の内容】
【００２３】
本開示に係るデータの表示システムは、
対象のデータを所定の基準に基づいて複数の項目に分類した統計グラフを基礎グラフとして表示する第１画面を表示する表示部と、
前記表示部に表示される前記基礎グラフにおける各分類項目のうちの少なくとも１つを対象分類項目として選択指示する選択指示部と、
選択された前記対象分類項目に属する前記データを、前記基礎グラフにおける基準とは異なる基準に基づいて複数の項目に分類した統計グラフを前記基礎グラフに対する派生グラフとして生成して、前記基礎グラフとともに前記派生グラフを表示する第２画面を生成する第２画面生成部と、を備え、
前記表示部は、前記第２画面において前記基礎グラフを選択することにより前記表示部に表示される画面が前記第１画面に切り替わる状態で、前記第２画面を表示する。
【国際調査報告】
2016117235.tif 000013
2016117235.tif 000014